(57)【要約】【課題】使用後に簡単に切断可能な包装鏡餅を簡単かつ確実に製造することができ、かつ安全性の高い包装鏡餅用容器を提供する。【解決手段】容器１は、射出成形により鏡餅形状に成形した合成樹脂製の成形体であって、容器１の内面には、容器１内の頂部1aを通って直径方向に直線状に延びる突条５が形成されている。突条５は、容器１内の頂部1aで交叉して延びる複数本5a,5b からなり、そのうち一本の突条5bは、容器１の内面に沿って容器下段の側面部1dにまで延設されている。突条５は、容器１内の頂部1aにおける高さが、他の部分よりも高く形成されている。【選択図】  図１
2005170397.tif 000002
【特許請求の範囲】
【請求項１】
包装鏡餅の製造に用いられる容器において、該容器は、射出成形により鏡餅形状に成形した合成樹脂製の成形体であって、容器の内面には、容器内の頂部を通って直径方向に直線状に延びる突条が形成されている包装鏡餅用容器。
【請求項２】
前記突条は、容器内の頂部で交叉して延びる複数本からなり、そのうち少なくとも一本の突条は、容器の内面に沿って側面部にまで延設されている請求項１又は２に記載の包装鏡餅用容器。
【請求項３】
容器は上下二段重ね形状に形成され、前記突条は、前記少なくとも一本の突条が、容器の内面に沿って容器下段の側面部にまで延設されている請求項２に記載の包装鏡餅用容器。
【請求項４】
前記突条は、容器内の頂部における高さが、他の部分よりも高く形成されている請求項１〜３のいずれかに記載の包装鏡餅用容器。
【請求項５】
前記合成樹脂は、硬質のポリプロピレンである請求項１〜４のいずれかに記載の包装鏡餅用容器。
【発明の詳細な説明】
【技術分野】
【０００１】
本発明は、包装鏡餅用容器、詳しくは、鏡餅形状をなす包装鏡餅の製造に用いられる容器に関する。
【背景技術】
【０００２】
従来、鏡餅形状をなす包装体となしたいわゆる包装鏡餅として、鏡餅形状の容器内に餅を充填密封したものが知られている。代表的な包装鏡餅としては、容器は上下二段重ねの鏡餅形状に形成され、下端にフランジ部を有し、このフランジ部の下面とこれに対応する底板部とをヒートシール等の手段により接着したものがある。
【０００３】
上記の包装鏡餅は、お供えやお飾り等として使用した後、内容物の餅を容器から取り出して食するが、通常、そのままの状態では大きすぎるため、適宜大きさに切断してから食する。しかし、硬化した、厚みがある餅を切断するのは容易ではない。このため、使用後の餅の切断を容易にするため、包装容器の中に仕切り板を嵌挿してから餅を充填したものがある（例えば、特許文献１参照）。また、「無色透明乃至無色半透明のプラスチックフィルムを鏡餅の形状に真空成形した外装容器１内に餅３を充填して底部密閉用プラスチックフィルム２により密封してなる包装鏡餅であって、上部の小径餅31の上面に、合成樹脂製の放射状の嵌入筋材４を離脱可能に設けたことを特徴とする包装鏡餅。」がある（特許文献２参照）。
【０００４】
【特許文献１】実開昭６０−１１４６８５号公報
【特許文献２】特開２００２−２５３１４９号公報
【発明の開示】
【発明が解決しようとする課題】
【０００５】
しかし、上記従来の包装鏡餅は、鏡餅形状の容器とは別ピースである部材を容器内に入れて餅を充填するため、餅を充填する際、容器内にその部材を設置する手間が必要であり、また、設置した部材の位置ずれを生じたりすることがある。さらに、使用後には、容器と餅とを分離するのみならず、別ピースである部材を餅から除去する必要がある。また、そのような部材が食品と混在して包装体に内装されているのは安全性の面で好ましいものとはいえない。
【０００６】
本発明は、上記従来技術の問題点を考慮してなされたもので、使用後に簡単に切断可能な包装鏡餅を簡単かつ確実に製造することができ、かつ安全性の高い包装鏡餅用容器を提供することを目的とする。
【課題を解決するための手段】
【０００７】
本発明は、包装鏡餅の製造に用いられる容器において、該容器は、射出成形により鏡餅形状に成形した合成樹脂製の成形体であって、容器の内面には、容器内の頂部を通って直径方向に直線状に延びる突条が形成されている包装鏡餅用容器である。
【０００８】
本発明においては、前記突条は、容器内の頂部で交叉して延びる複数本からなり、そのうち少なくとも一本の突条は、容器の内面に沿って側面部にまで延設されているものが好ましい（請求項２）。
また、容器は上下二段重ね形状に形成され、前記突条は、前記少なくとも一本の突条が、容器の内面に沿って容器下段の側面部にまで延設されているものが好ましい（請求項３）。
また、前記突条は、容器内の頂部における高さが、他の部分よりも高く形成されているものが好ましい（請求項４）。
また、前記合成樹脂は、硬質のポリプロピレンであるものが好ましい（請求項５）。
【発明の効果】
【０００９】
(1) 本発明によれば、容器は、射出成形により鏡餅形状に成形した合成樹脂製の成形体であって、容器の内面には、容器内の頂部を通って直径方向に直線状に延びる突条が形成されているため、従来のように鏡餅形状の容器とは別ピースである部材を容器内に入れて餅を充填するものとは異なり、手間がかからず、使用後に簡単に切断可能な包装鏡餅を簡単かつ確実に製造することができる。部品点数を減らすこともできる。
また、使用後には、従来のものと異なり別ピースである部材を餅から除去する手間がかからず、また誤って食べる危険もなく安全である。容器から離脱された鏡餅には、そのままの状態で突条に対応した溝部が形成されているので、この溝部内に包丁を押し当てて切断することができ、この溝部が切断する際の誘導線となり、包丁が滑らず、安全かつ簡単に切断することができる。
また、容器は真空成形でなく、射出成形により成形されるため、容器の外面に、飾り部あるいは飾りを取り付けるための係止部等を複雑な形状であっても設けることができる利点を有する。
【００１０】
(2) 請求項２に係る発明によれば、前記突条は、容器内の頂部で交叉して延びる複数本からなり、そのうち少なくとも一本の突条は、容器の内面に沿って側面部にまで延設されているため、容器の剛性が向上し、容器の流通段階における輸送、運搬時等に容器がつぶれたり、壊れたりするのを防止することができる。また、内容物の餅の外面に長い距離にわたり、切断の際の誘導線となる溝部が形成されるので、切断がし易い。
【００１１】
(3) 請求項３に係る発明によれば、容器は上下二段重ね形状に形成され、前記突条は、前記少なくとも一本の突条が、容器の内面に沿って容器下段の側面部にまで延設されているため、上記(2) の効果をより一層顕著に発揮することができる。
【００１２】
(4) 請求項４に係る発明によれば、前記突条は、容器内の頂部における高さが、他の部分よりも高く形成されているため、容器内の頂部は、内容物の餅の高さの最上部となるので、使用後に餅を切断するとき、餅の高さが最も高い部位に深い溝部が形成されることになるため、切断がし易い。
【００１３】
(5) 請求項５に係る発明によれば、前記合成樹脂は、硬質のポリプロピレンであるため、内容物の餅と分離する際、容器が簡単に割れ易く、内容物の餅を取り出し易く、使用し易い。
【発明を実施するための最良の形態】
【００１４】
本発明を実施するための最良の実施の形態について実施例を挙げ、図面を参照して説明する。各図において、同じ構成要素には同じ符号を用い、重複する説明は適宜省略する場合がある。
【実施例１】
【００１５】
図１（Ａ）は実施例の容器１の平面図、図１（Ｂ）は図１（Ａ）の１Ｂ−１Ｂ線断面図、図２は図１（Ａ）の２Ａ−２Ａ線断面図、図３は容器１の部分断面図、図４は包装鏡餅１０の縦断面図、図５は容器１から離脱された鏡餅２０の縦断面図である。図３〜図５においては、図１（Ａ）の１Ｂ−１Ｂ線に相当する切断面を示す。
【００１６】
図示のとおり、容器１は、上下二段重ねの鏡餅形状をなすように形成されている。底部は開放され、下端の周縁にはフランジ部３が形成されている。フランジ部３は、図示のように矩形状に形成するほか、容器１の下端に沿うよう円形にしてもよい。
【００１７】
容器１は、合成樹脂材を射出成形して中空の鏡餅形状に成形した成形体である。そして、容器１の内面には、容器１内の頂部を通って直径方向に直線状に延びる突条が５形成されている。つまり、容器１と突条５とは、別部材ではなく、突条５は、離脱不可能な容器１の一部分として、同一の合成樹脂材を用いた射出成形により同時に一体的に形成されている。
【００１８】
本発明の容器に用いられる合成樹脂は、通常、透明又は白色であり、熱可塑性合成樹脂、特に硬質のポリプロピレンにより容器を形成するのが好ましい。この硬質のポリプロピレンを用いた容器の厚さは、０．６〜０．８ｍｍ程度のものが好ましい。
上記のような硬質のポリプロピレンは、使用後において、鋏をいれて内容物の餅と分離する際、容器が簡単に割れ易く（裂け易く）、内容物の餅を取り出し易く、使用し易い。
【００１９】
突条５は、好ましくは、容器１内の頂部１ａで交叉して延びる複数本の突条５ａ，突条５ｂからなり、放射状をなしている。各突条５は、容器１の内面にほぼ沿う態様で形成されている。このうち一本の突条５ａは、容器１の上面部１ｂのみにほぼ水平に形成され、もう一本の突条５ｂは、上面部１ｂにほぼ水平に形成されているのみにとどまらず、突条５ａよりも長く形成されている。そして、この突条５ｂは、容器１の内面に沿って容器の側面部（上段）１ｃまで延設され、さらに好ましくは容器下段の側面部１ｄにまで延設される。このように構成することにより、容器１の剛性が向上し、容器の流通段階における輸送、運搬時等に容器がつぶれたり、壊れたりするのを防止することができる。また、内容物の餅の外面に長い距離にわたり、切断の際の誘導線となる溝部が形成されるので、切断がし易い。なお、図示の例においては、２本の突条５ａ，突条５ｂが十字状に交叉しているが、３本以上の突条を交叉させて設けてもよい。
【００２０】
突条５ａ，５ｂの断面形状は、容器１の内面から高さ方向の先端部に向けて窄まるように形成されているものが、充填されて固化した餅と離脱し易いので、好ましい。例えば、突条５ａ，５ｂの断面形状は、台形状、三角形状、半円状等に形成し得る。突条５ａ，５ｂの幅、高さは、鏡餅の大きさ等に応じて適宜設定し得る。
【００２１】
また、突条５ａ，５ｂは、容器１内の頂部１ａにおける高さｈ１が、他の部分の高さｈ２よりも高く形成されているものが好ましい（図３参照）。容器１内の頂部１ａは、内容物の餅の高さの最上部となるので、容器１内の頂部１ａにおける高さｈ１が、他の部分の高さｈ２よりも高く形成されていることにより、用いる合成樹脂の量をできるだけ増やすことなく、使用後に餅を切断するとき、餅の高さが最も高い部位に深い溝部が形成されることになるため、切断がし易い。
【００２２】
フランジ部３の、突条５ａ，５ｂの仮想延長線上にあたる部位３ａには、該部位のフランジ部３の厚さを局所的に薄くするか、あるいは該部位にノッチを設けてもよい。このように構成することにより、後で説明するように、使用後において内容物の餅を取り出すとき、該部位を始点として挟み等を入れ易く、かつ容器１が割り易いものとなる。
【００２３】
本発明に係る包装鏡餅用容器を用いた包装鏡餅の製造方法について説明する。容器１の底部（フランジ部３）側を上方に向けた状態で、流動状態の餅を充填する。充填終了後、フランジ部３に底部フィルム７をヒートシール等の手段により接着して密封状態となす。その後、ボイル殺菌処理を施すことにより包装鏡餅１０が得られる（図４参照）。
【００２４】
お供えやお飾り等として使用された後の使用方法は、次のように行われる。先ず、包装鏡餅１０の底部フィルム７を剥がす。次いで、容器１のフランジ部３等に鋏を入れ、両手を使って容器１を割る（裂く）。このとき、容器１の内面に、容器１内の頂部１ａを通って直径方向に直線状に延びる突条５を有しているため、該突条５が割れ目の誘導線となり、割れ易い。硬質のポリプロピレンはさらに割れ易く、使用し易い。容器１から離脱された鏡餅２０（図５参照）には、突条５に対応した溝部２０ａが形成されているので、この溝部２０ａ内に包丁を押し当てて切断することができ、この溝部２０ａが切断する際の誘導線となり、包丁が滑らず、安全かつ簡単に切断することができる。
【００２５】
以上、本発明を実施するための形態について説明したが、本発明は上記したものに限定されるものではなく、本発明の要旨の範囲で適宜変更、付加等して実施することができるものである。二段重ね形状の包装鏡餅用容器を例示して説明したが、一段の包装鏡餅用容器として構成することもできる。
【図面の簡単な説明】
【００２６】
【図１】（Ａ）は実施例の包装鏡餅用容器の平面図、（Ｂ）は図１（Ａ）の１Ｂ−１Ｂ線断面図である。
【図２】図１（Ａ）の２Ａ−２Ａ線断面図である。
【図３】実施例の包装鏡餅用容器の部分断面図である。
【図４】包装鏡餅１０の縦断面図である。
【図５】容器１から離脱された鏡餅２０の縦断面図である。
【符号の説明】
【００２７】
１  容器
１ａ  容器の頂部
１ｂ  容器の上面部
１ｃ，１ｄ  容器の側面部
３  フランジ部
５，５ａ，５ｂ  突条
７  底部フィルム
【図１】
2005170397.tif 000003
【図２】
2005170397.tif 000004
【図３】
2005170397.tif 000005
【図４】
2005170397.tif 000006
【図５】
2005170397.tif 000007